(57)【要約】【課題】  複数画面に情報を提示する場合に、視線の交差によって注意が散漫になるのを防ぐことができる表示制御装置を提供する。【解決手段】  表示制御装置１は、人物の視線方向に基づき該人物の視線方向に位置するスクリーンを推定する視線方向画面推定部３と、前記人物の視線方向に基づき視線が交差する人物を推定する視線交差ユーザ推定部４１と、前記人物の視線方向及び前記視線が交差する人物の情報に基づき前記視線が交差する人物の後ろに位置するスクリーンを推定する視線交差画面推定部４２と、前記人物の視線方向に位置するスクリーンから前記視線が交差する人物の後ろに位置するスクリーンを除いたスクリーンを表示画面として選択する画面選択部４３とを備える。【選択図】          図３
2007003943.tif 000002
【特許請求の範囲】
【請求項１】
複数の表示位置の中から画像を表示する表示位置を選択する表示制御装置において、
人物の位置を検出する位置検出部と、
前記位置検出部で検出された人物の位置情報に基づき前記位置検出部で検出された人物の視線方向を推定する視線方向推定部と、
前記視線方向推定部で推定された人物の視線方向の情報に基づき前記複数の表示位置の中から前記人物の視線方向にある表示位置を推定する表示位置推定部と、
前記表示位置推定部で推定された人物の視線方向にある表示位置のうち前記位置検出部で検出された人物間で視線が交差しない方向にある表示位置を、前記画像を表示する表示位置として選択する表示位置選択部と
を備えることを特徴とする表示制御装置。
【請求項２】
前記表示位置選択部は、
前記視線方向推定部で推定された人物の視線方向の情報に基づき、前記位置検出部で検出された人物の中で視線が交差する人物を推定する交差人物推定部と、
前記視線方向推定部で推定された人物の視線方向の情報及び前記交差人物推定部で推定された視線が交差する人物の情報に基づき、前記人物の視線方向にある表示位置の中から前記視線が交差する人物の後ろに位置する表示位置を推定する交差表示位置推定部と、
前記表示位置推定部で推定された人物の視線方向にある表示位置のうち前記視線が交差する人物の後ろに位置する表示位置を除いた表示位置を、前記位置検出部で検出された人物間で視線が交差しない方向にある表示位置として選択する選択部とを備えることを特徴とする請求項１に記載の表示制御装置。
【請求項３】
前記位置検出部は、所定の視野角を利用して前記人物の視線方向を検出することを特徴とする請求項１に記載の表示制御装置。
【請求項４】
複数の表示位置の中から画像を表示する表示位置を選択する表示制御方法において、
人物の位置を検出する位置検出工程と、
前記位置検出工程で検出された人物の位置情報に基づき前記位置検出工程で検出された人物の視線方向を推定する視線方向推定工程と、
前記視線方向推定工程で推定された人物の視線方向の情報に基づき前記複数の表示位置の中から前記人物の視線方向にある表示位置を推定する表示位置推定工程と、
前記表示位置推定工程で推定された人物の視線方向にある表示位置のうち前記位置検出工程で検出された人物間で視線が交差しない方向にある表示位置を、前記画像を表示する表示位置として選択する表示位置選択工程と
を有することを特徴とする表示制御方法。
【請求項５】
前記表示位置選択工程は、
前記視線方向推定工程で推定された人物の視線方向の情報に基づき、前記位置検出工程で検出された人物の中で視線が交差する人物を推定する交差人物推定工程と、
前記視線方向推定工程で推定された人物の視線方向の情報及び前記交差人物推定工程で推定された視線が交差する人物の情報に基づき、前記人物の視線方向にある表示位置の中から前記視線が交差する人物の後ろに位置する表示位置を推定する交差表示位置推定工程と、
前記表示位置推定工程で推定された人物の視線方向にある表示位置のうち前記視線が交差する人物の後ろに位置する表示位置を除いた表示位置を、前記位置検出工程で検出された人物間で視線が交差しない方向にある表示位置として選択する選択工程とを含むことを特徴とする請求項４に記載の表示制御方法。
【請求項６】
前記位置検出工程は、所定の視野角を利用して前記人物の視線方向を検出することを特徴とする請求項４に記載の表示制御方法。
【請求項７】
請求項４から請求項６のいずれか一項に記載の表示制御方法をコンピュータに実行させるためのプログラム。
【発明の詳細な説明】
【技術分野】
【０００１】
本発明は、表示制御装置、表示制御方法およびプログラムに関する。
【背景技術】
【０００２】
複数人が参加する会議などでは、資料の情報共有のために、大型のディスプレイやスクリーン（以下、大型表示装置）に資料を表示させることが多い。従来のプレゼンテーションシステムの画面表示方法としては、例えば、特許文献１に示すように、表示画像を見る人と画面との距離に応じて表示画像の大きさを変化させることで、画面を見やすくする方法が提案されている。しかしながら、複数人が参加する会議では、画面との距離を一意に設定できない。そのため、複数人が参加する会議へ適用する場合は、その効果を期待できない。
【０００３】
さらに、複数人が参加しているために、人の頭は、大型表示装置が提示している資料（表示画面）への視界を遮り、会議参加者は表示画面の全体を見ることができず、表示画面の情報を理解することができない場合がある。その場合、会議参加者は、姿勢を変える等して表示画面を見る努力をしてきた。
【０００４】
そこで、会議室運営者は、会議参加者が提示情報を見逃すことのないような表示装置のあり方として、同形の大型表示装置を室内に複数設置する、という施策をとっている。会議室運営者は、提示資料を複数の画面に同時に表示させることで、会議参加者は他の会議参加者の頭で提示画面内の情報を遮ることのない方向に視線を向ける、或いは、表示されている情報が見やすい位置にある大型表示装置に視線を向ける、という行為を促し、会議参加者に無理な姿勢を強いることなく、資料の内容を把握してもらうようにしている。また、例えば特許文献２に示すように、利用者の目線の位置に合わせて表示することにより利用者の視線の移動による疲労を最小限にとどめ、より見やすい表示を提供するものが提案されている。
【特許文献１】特開平６−１３３２５７号公報
【特許文献２】特開２００３−２２３２５４号公報
【発明の開示】
【発明が解決しようとする課題】
【０００５】
しかしながら、会議のように複数人が参加している場合は、人の頭で表示画面内の情報を遮ることがなくても、視線を向けている表示画面方向の視野内に人が入っていることが多い。会議中は人同士でインタラクションを取るため、机、椅子の配置によっては会議参加者同士が対面した状態にある。その場合、会議参加者が視線を向けている対象は提示情報であるにも関わらず、対面状態にある人（他の会議参加者）と視線を交差させてしまうことがある。視線の交差は好意や嫌悪など心理的な状態を反映させていることもあるため、無意識的にも視線を交差した場合は、視線を交差した者同士の注意が提示情報から逸れてしまうことになり、会議の議題に集中できない。結果として、会議参加者が視線を向ける画面は、視線の交差がないと思われる画面だけに限られ、そのような画面は特定の位置に配置された画面であることが多い。つまり複数配置された画面それぞれに視線が分散するのではなく、視線が向けられる画面は特定の画面に限られることが多い。
【０００６】
さらに、通常の会議では、議事の進行に伴い、提示画面に提示されている情報（内容）を切り替えて進行するが、複数の画面に同一情報を提示しておく場合、資料の切替わり時点で、会議参加者は今までに視線を向けていた画面以外の提示情報の画面切替わりに注意が引き寄せられる。会議参加者は、複数画面に同一資料が提示されたプレゼンテーションであると認識していながらも、画面が切替わった場合、自分が視線を向けていた画面以外の画面に対して、その切替わった後の内容について知りたいがために、視線を方々の画面に向けるため、注意が散漫になるのである。このような傾向は画面の数が多いほど顕著になる。
【０００７】
そこで、本発明は、上記問題点に鑑みてなされたもので、複数画面に情報を提示する場合に、視線の交差によって注意が散漫になるのを防ぐことができる表示制御装置、表示制御方法およびプログラムを提供することを目的とする。
【課題を解決するための手段】
【０００８】
上記課題を解決するために、本発明の表示制御装置は、複数の表示位置の中から画像を表示する表示位置を選択する表示制御装置において、人物の位置を検出する位置検出部と、前記位置検出部で検出された人物の位置情報に基づき前記位置検出部で検出された人物の視線方向を推定する視線方向推定部と、前記視線方向推定部で推定された人物の視線方向の情報に基づき前記複数の表示位置の中から前記人物の視線方向にある表示位置を推定する表示位置推定部と、前記表示位置推定部で推定された人物の視線方向にある表示位置のうち前記位置検出部で検出された人物間で視線が交差しない方向にある表示位置を、前記画像を表示する表示位置として選択する表示位置選択部とを備える。
【０００９】
本発明によれば、視線方向に位置する表示位置のうち他の人物との間で視線が交差しない方向に位置する表示位置を、画像を表示する表示画面とすることにより、複数画面に情報を提示する場合でも、視線交差によって注意が散漫になるのを防ぐことができる。表示を見ている人物は議論に集中することができる。また、視線を向けていない画面の電源をオフにすることで、環境への負荷を軽減するという省エネ効果も期待できる。
【００１０】
前記表示位置選択部は、前記視線方向推定部で推定された人物の視線方向の情報に基づき、前記位置検出部で検出された人物の中で視線が交差する人物を推定する交差人物推定部と、前記視線方向推定部で推定された人物の視線方向の情報及び前記交差人物推定部で推定された視線が交差する人物の情報に基づき、前記人物の視線方向にある表示位置の中から前記視線が交差する人物の後ろに位置する表示位置を推定する交差表示位置推定部と、前記表示位置推定部で推定された人物の視線方向にある表示位置のうち前記視線が交差する人物の後ろに位置する表示位置を除いた表示位置を、前記位置検出部で検出された人物間で視線が交差しない方向にある表示位置として選択する選択部とを備える。これにより、他の人物と視線が交差しない方向にある表示位置を検出することができる。
【００１１】
前記位置検出部は、所定の視野角を利用して前記人物の視線方向を検出することを特徴とする。本発明によれば、人物の位置が分かれば視野角を利用することにより簡単に人物の視線方向を検出することができる。
【００１２】
本発明の表示制御方法は、複数の表示位置の中から画像を表示する表示位置を選択する表示制御方法において、人物の位置を検出する位置検出工程と、前記位置検出工程で検出された人物の位置情報に基づき前記位置検出工程で検出された人物の視線方向を推定する視線方向推定工程と、前記視線方向推定工程で推定された人物の視線方向の情報に基づき前記複数の表示位置の中から前記人物の視線方向にある表示位置を推定する表示位置推定工程と、前記表示位置推定工程で推定された人物の視線方向にある表示位置のうち前記位置検出工程で検出された人物間で視線が交差しない方向にある表示位置を、前記画像を表示する表示位置として選択する表示位置選択工程とを有する。
【００１３】
本発明によれば、視線方向に位置する表示位置のうち他の人物との間で視線が交差しない方向に位置する表示位置を、画像を表示する表示画面とすることにより、複数画面に情報を提示する場合でも、視線交差によって注意が散漫になるのを防ぐことができる。表示を見ている人物は議論に集中することができる。また、視線を向けていない画面の電源をオフにすることで、環境への負荷を軽減するという省エネ効果も期待できる。
【００１４】
前記表示位置選択工程は、前記視線方向推定工程で推定された人物の視線方向の情報に基づき、前記位置検出工程で検出された人物の中で視線が交差する人物を推定する交差人物推定工程と、前記視線方向推定工程で推定された人物の視線方向の情報及び前記交差人物推定工程で推定された視線が交差する人物の情報に基づき、前記人物の視線方向にある表示位置の中から前記視線が交差する人物の後ろに位置する表示位置を推定する交差表示位置推定工程と、前記表示位置推定工程で推定された人物の視線方向にある表示位置のうち前記視線が交差する人物の後ろに位置する表示位置を除いた表示位置を、前記位置検出工程で検出された人物間で視線が交差しない方向にある表示位置として選択する選択工程とを含む。これにより、他の人物と視線が交差しない方向にある表示位置を検出することができる。
【００１５】
前記位置検出工程は、所定の視野角を利用して前記人物の視線方向を検出することを特徴とする。本発明によれば、人物の位置が分かれば視野角を利用することにより簡単に人物の視線方向を検出することができる。本発明のプログラムは、上記表示制御方法をコンピュータに実行させる。
【発明の効果】
【００１６】
本発明によれば、複数画面に情報を提示する場合に、視線の交差によって注意が散漫になることを防ぐことができる表示制御装置、表示制御方法およびプログラムを提供できる。
【発明を実施するための最良の形態】
【００１７】
以下、本発明を実施するための最良の形態について実施例を用いて説明する。図１は、本発明の一実施形態である表示システム（表示制御装置）１のブロック図である。図１に示すように、表示システム１は、位置センサ（位置検出部）２、視線方向画面推定部（表示位置推定部）３、表示画面選択部（表示位置選択部）４およびスクリーン５を備える。表示システム１は、表示を制御するとともに、会議室内の複数のスクリーン（表示位置）の中から画像を表示するスクリーンを選択する機能を有する。本実施例では人物として会議参加者を例にとって説明する。
【００１８】
位置センサ２は会議室内の参加者の位置を検出するものである。位置センサ２は、たとえばＲＦＩＤ（Radio Frequency-Identification）を検出するセンサにより構成され、たとえば会議室内の天井や椅子、机など会議室内に設置されている。位置センサ２は、会議参加者を検出すると、会議参加者の位置情報をたとえば、（x,y）のように二次元の座標で出力する。
【００１９】
視線方向画面推定部３は、会議参加者が着席した位置から視線を向けるスクリーン（表示位置）を推定する。視線方向画面推定部３は、ＣＰＵ（Central Processing Unit）、ＲＯＭ(Read Only Memory)、ＲＡＭ(Random Access Memory)などを含んで実現される。
【００２０】
この視線方向画面推定部３は、視線方向推定部３１及び視線画面推定部３２を備える。視線方向推定部３１は、位置センサ２で検出された会議参加者の位置情報に基づき位置センサ２で検出された会議参加者の視線方向、すなわち参加者の位置から視線を向ける方向を推定する。視線方向推定部３１は、会議参加者の視線方向を推定する際に会議参加者の視野角（例えば１２０°）を用いると良い。着席位置毎に決められた会議参加者の前方方向の視野角を視線方向としてもよい。視線方向の推定には、会議室内の着席位置情報を基におおよその方向を推定する。人は会議室内で振り返る行動をほとんどしないため、視線方向の推定は、視線計測器（例えば、販売されているゴーグル型視線計測器、トークアイ）などを利用して厳密な視線方向を推定する必要はない。視線画面推定部３２は、視線方向推定部３１で推定された会議参加者の視線方向の情報に基づき複数のスクリーン５の中から会議参加者の視線方向にあるスクリーンを推定する。
【００２１】
表示画面選択部４は、ＣＰＵ、ＲＯＭ、ＲＡＭなどを含んで実現され、視線画面推定部３２で推定された会議参加者の視線方向にあるスクリーンのうち位置センサ２で検出された会議参加者間で視線が交差しない方向にあるスクリーンを、画像を表示するスクリーンとして選択する。つまり、表示画面選択部４は、会議参加者が会議中にスクリーンに視線を向ける際に、会議参加同士による視線交差を生じさせないようなスクリーンを選択する。
【００２２】
表示画面選択部４は、視線交差ユーザ推定部（交差人物推定部）４１、視線交差画面推定部（交差表示位置推定部）４２及び画面選択部（選択部）４３を備える。視線交差ユーザ推定部４１は、視線方向推定部３１で推定された会議参加者の視線方向の情報に基づき、位置センサ２で検出された会議参加者の中で視線が交差する会議参加者を推定する。視線交差画面推定部４２は、視線方向推定部３１で推定された会議参加者の視線方向の情報及び視線交差ユーザ推定部４１で推定された視線が交差する会議参加者の情報に基づき、会議参加者の視線方向にあるスクリーンの中から視線が交差する会議参加者の後ろに位置するスクリーンを推定する。
【００２３】
画面選択部４３は、視線画面推定部３２で推定された会議参加者の視線方向にあるスクリーンのうち視線が交差する会議参加者の後ろに位置するスクリーンを除いたスクリーンを、位置センサ２で検出された会議参加者間で視線が交差しない方向にあるスクリーンとして選択する。スクリーン５は、例えば液晶プロジェクタ、プラズマディスプレイパネルなどの、大型画像表示を同時に複数利用する表示装置であり、４つのスクリーン５１〜５４を含んで構成される。
【００２４】
次に本実施例の動作について説明する。図２は本実施例の動作フローチャートである。図３は会議室内の様子を示す図である。図３は、会議室内に５つのスクリーン５１〜５５が配置され、５人の会議参加者Ａ〜Ｅが着席している様子を示している。ここでは会議参加者Ａの視線方向は矢印で視野角１２０°と表されている。
【００２５】
ステップＳ１で、位置センサ２は、会議室内で参加者が着席した位置を検出する。ステップＳ２で、視線方向推定部３１は、会議室内で参加者が着席した位置情報に基づいて、会議参加者の視線方向を推定する。
【００２６】
ステップＳ３において、視線画面推定部３２は、会議参加者の視線方向及びスクリーンの配置に関する情報に基づいて、会議参加者の視線方向に位置するスクリーンを推定する。図３に示す会議参加者Ａにとって視線方向の先にある大型スクリーンは４つ（５２〜５５）となる。他の会議参加者についても同様にして、視線方向の先にあるスクリーンを推定することができる。視線画面推定部３２が推定した、会議参加者毎の視線方向の先にあるスクリーン一覧を図４に示す。図３及び図４に示すように、たとえば会議参加者Ａの視線方向の先にあるスクリーンは、スクリーン５２、５３、５４、５５であることが分かる。
【００２７】
ステップＳ４において、視線交差ユーザ推定部４１は、ステップＳ２で推定した会議参加者の視線方向の情報に基づいて、会議参加者の視線が交差する会議参加者を推定する。図３に示す会議参加者Ａの視線方向（視野角１２０°）内には、他の会議参加者Ｃ、Ｄ、Ｅがいることがわかる。従って、会議参加者Ａにとって視線が交差する他の会議参加者はＣ、Ｄ、Ｅとなる。視線交差ユーザ推定部４１が推定した、会議参加者毎の視線交差のある他の会議参加者一覧を図５に示す。図３及び図５に示すように、会議参加者Ａの視線交差のある会議参加者は、会議参加者Ｃ、Ｄ、Ｅであることが分かる。
【００２８】
ステップＳ５において、視線交差画面推定部４２は、ステップＳ３で推定した視線方向にあるスクリーン及びステップＳ４で推定した会議参加者の視線が交差する会議参加者の情報に基づいて、視線が交差する参加者の後ろに位置するスクリーンを推定する。つまり、本ステップでは、会議参加者がスクリーンに視線を向けた時に、他の会議参加者と視線が交差してしまうスクリーンを抽出する。前述した図３において、会議参加者Ａの視線方向の先にあるスクリーンはスクリーン５２〜５５であり、視線交差のある会議参加者はＣ、Ｄ、Ｅとなる。
【００２９】
会議参加者Ａにとってスクリーン５２〜５５のいずれかに視線を向けた時、視線交差が生じる会議参加者を求めるには、例えば、予め用意された一覧などを利用すればよい。図６は予め用意された一覧の例を示す図である。図６では、視線交差のある会議参加者Ｃ、Ｄ、Ｅの後ろに位置するスクリーンは、スクリーン５４、５５であることが示されている。
【００３０】
ステップＳ６で、画面選択部４３は、会議参加者の視線方向に位置するスクリーンから視線が交差する会議参加者の後ろに位置するスクリーンを除いたスクリーンを表示画面として選択する。会議参加者Ａにとっては、ステップＳ３で推定した視線を向けるスクリーン５２〜５５のうち、ステップＳ５で選択されたスクリーン５４、５５を除いたスクリーン５２、５３が視線交差のないスクリーンとして選択される。これまでは、会議参加者ＡのステップＳ１からステップＳ６までの手順を示してきた。他の会議参加者Ｂ、Ｃ、Ｄ、Ｅついても同様の手順をふむことで、視線交差のないスクリーンを選択することが可能であり、その結果を図７に示す。
【００３１】
図７は、図３の会議における会議参加者毎の視線交差のないスクリーンを示している。図７より、各会議参加者に共通しているスクリーンはスクリーン５２、５３であることがわかる。従って、例えば、会議室に設置されたスクリーン５１〜５５の５つのうち、各会議参加者に共通して視線交差のないスクリーン５２、５３のみに資料を提示する。これにより、会議参加者が、視線交差によって内容理解からの注意の逸脱を防ぐことができ、議論に集中することができる。また、会議参加者が視線を向けていないスクリーンの電源をオフにすることで省エネ効果も期待できる。このように、会議参加者の人数や座席位置に応じて、適切なスクリーンに資料を呈示することができる。
【００３２】
なお、本発明による表示制御方法は、プログラムをハードディスク装置や、ＣＤ−ＲＯＭ、ＤＶＤまたはフレキシブルディスクなどの可搬型記憶媒体等からインストールし、または通信回路からダウンロードし、このプログラムを実行することで、各ステップが実現される。なお、上記において「推定」の語を「検出」に代えても上記と同様に機能する。
【００３３】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００３４】
【図１】本発明の一実施形態である、表示システムのブロック図である。
【図２】本発明の一実施形態である、表示システムのフローチャートである。
【図３】本発明の一実施形態である、会議室内の様子である。
【図４】会議参加者毎の視線方向の先にあるスクリーンの一覧である。
【図５】会議参加者毎の視線交差が生じる他の会議参加者を示す一覧である。
【図６】会議参加者と視線交差の先にあるスクリーンを対応させた一覧である。
【図７】会議参加者毎の視線交差のないスクリーンの一覧である。
【符号の説明】
【００３５】
１  表示システム
２  位置センサ
３  視線方向画面推定部
３１  視線方向推定部
３２  視線画面推定部
４  表示画面選択部
４１  視線交差ユーザ推定部
４２  視線交差画面推定部
４３  画面選択部
５１〜５５  スクリーン
【図１】
2007003943.tif 000003
【図２】
2007003943.tif 000004
【図３】
2007003943.tif 000005
【図４】
2007003943.tif 000006
【図５】
2007003943.tif 000007
【図６】
2007003943.tif 000008
【図７】
2007003943.tif 000009